(57)【要約】      （修正有）【課題】ケースから線香を取出す事が容易にでき、着火している線香を適宜にすばやく全てを消すことができる線香入れケース及び焼香用ケースを提供する。【解決手段】複数本の棒状の線香を、一列に配置し、これらの一端部を一体に連結した形状の櫛状の線香を入れるケースであって、ケース本体とその蓋とよりなり、前記ケース本体は、平面形状が長方形で幅方向内寸法が、前記櫛状の線香の幅相当であり、かつ幅方向両壁の内面に櫛状の線香の幅方向両端縁を案内する案内突起を有していることを特徴とする。【選択図】図６
0003142663.tif 000002
【実用新案登録請求の範囲】
【請求項１】
複数本の棒状の線香を一列に配置し、これらの一端部を一体に連結した形状の櫛状の線香を入れるケ−スであって、ケ−ス本体とその蓋とよりなり、前記ケ−ス本体は、平面形状が長方形で幅方向内法寸法が、前記櫛状の線香の幅相当であり、かつ幅方向両壁の内面に櫛状の線香の幅方向端縁を案内する案内突起を有していることを特徴とする線香入れケ−ス。
【請求項２】
複数本の棒状の線香を一列に配置し、これらの一端部を一体に連結した形状の櫛状の線香を焼香するのに使用するケ−スであって、前記ケ−スは、ケ−ス本体とその蓋とよりなり、前記ケ−ス本体は、前記線香を起立状態に保持する線香立てを有していることを特徴とする焼香用ケ−ス。
【考案の詳細な説明】
【技術分野】
【０００１】
本考案は、線香入れケ−ス及び焼香用ケ−スに関するものである。
【背景技術】
【０００２】
実用新案登録第３１２９５５７号の線香は、一定量の線香をケ−ス詰め等する際に、この線香のもつ特性から、折れ易く、変形し易い特徴があることと、又取り出す際等も掴み難い難点があった。
又、焼香時においてのこの線香は、複数本の線香を同時に着火させるために長時間の使用は、煙の量を少なくしたものと、匂いの少ないものと又、燃焼時間を半減させる目的で長さが通常の半分程のものが市販されていることから、煙と匂いを嫌う傾向にあり早く済ませたいと言うニ−ズがなお、多くあった。
市販の線香は、焼香時に灰の中に差し込んで立てる様に成っているが、差込が浅かったり又、必ずしも垂直に立っているとは限らず、目を離した隙に、隣に立っている線香に倒れ掛かったり、或いは、幼児が手を出す等思わぬ事故の発生の恐れも懸念されることから離れる時には、火を消さなければならない。
火を消すために、水をかけたり、生ゴミの中に混ぜてしまうなどの方法がとられているが、何れにしても煩わしい。
【０００３】
実用新案登録第３１２９５５７号の線香は、一定量の線香をケース詰め等する際に、この線香の持つ特性から、折れ易く、変形し易い特徴があることと又取出す際等も掴み難い難点があった。
また、複数本の線香を同時に着火させるように成っている為必要以上の時間仏間のような場所での使用は、煙及び匂いを嫌う傾向にあることから、時間を早く済ませたいというニーズが、なお、多くあった。
【特許文献１】実登第３１２９５５７号
【考案の開示】
【考案が解決しようとする課題】
【０００４】
本考案は、上記問題点を解決することを課題とする。
【課題を解決するための手段】
【０００５】
（１）本考案の提供するケ−スは、複数本の棒状の線香を一列に配置し、これらの一端部を一体に連結した形状の櫛状の線香を入れるケ−スであって、ケ−ス本体とその蓋とよりなり、前記ケ−ス本体は、平面形状が長方形で幅方向内法寸法が、前記櫛状の線香の幅相当であり、かつ幅方向内壁の内面に櫛状の線香の幅方向両端縁を案内する案内突起を有していることを特徴とするものである。
（２）また、本考案が提供する焼香用ケースは、複数本の棒状の線香を一列に配置し、これらの一端部を一体に連結した形状の櫛状の線香を焼香するのに使用するケースであって、前記ケースは、ケース本体とその蓋とよりなり、前記線香を起立状態に保持する線香立てを有していることを特徴とするものである。
【考案の効果】
【０００６】
（１）線香入れケースによれば、次の効果を得ることができる。
（ａ）ケース本体から、端から順に指でつまみを引き出すことが容易にできる。
（ｂ）線香の挿入時に案内突起があるために容易に挿入できる。
（ｃ）線香の保護と変形を防ぐ利点がある。
（ｄ）線香の連結は、ディスプレイシートを両面から貼り付けて一体化したものも使用できる。
（２）線香用ケースによれば、次の効果を得ることができる
（ａ）着火している起立状態の線香に蓋をする事で、適宜にすばやく全てを消すことができる。
（ｂ）使い切らないで中途で消した線香の先端をハサミを用いてカットすることで、再利用できる。
（ｃ）蓋をすることで、安全である。
（ｄ）蓋をすることで塵の進入を防ぐことと、美観を損なうことがない。
【考案を実施するための最良の形態】
【０００７】
図１・２・３・４・５・６は、線香入れケースの実施例１で本体１内に、線香４を一列で並べられるように案内突起６のある仕切３が線香４の両端を支えるように設けてある為にケース詰め作業等が容易にできることと、仕切３が線香４の保護と変形を防ぐことができる。また、逆に線香４をケースから取り出す際は、本体１から蓋２を取ったとき、線香４の連結部５が外部に出ている状態になっており、これを幅方向に端から順につまみ引出すことができる線香入れケース。
【０００８】
図７・８・９は、実施例２で、実施例1のバリエーションで、本体７内に線香４が一列に並べられるように仕切８が格子状に設けてある線香入れケース。
【０００９】
図１０・１１・１２・１３は、線香用ケースの実施例１で、本体９及び蓋１０は、主に成型品で構成されている。本体9の底部に着火した線香４の連結部５部を起立状態にスタンド１２に差込載置して焼香できるように成したケースで、蓋１０をすることで内部は、密閉状態となり、全ての線香４を素早く消すことで安全であるということと焼香時間を適宜に決めることができる。これにより、昨今の煙及び匂いを嫌う傾向にあることから無駄な燃焼を省くことができる。又、途中で消した線香の先端のかす部をハサミで切落すことで再利用ができ、省エネにつながる。焼香の必要の無い間は、蓋をすることで、ゴミの進入の防止、又、美観を損なうことが無くなる。
【００１０】
図１４・１５・１６・１７・１８は、実施例２で、本体１３蓋１４は板材にて構成されており、焼香する人が増えた場合に急遽予備のスタンド１２を増設して対応できる様にした焼香用ケース。
本考案は、実施形態に限定されるものではなく、基本の形状及び材質、構成手段等、適宜に設計変更できるものである。
【図面の簡単な説明】
【００１１】
【図１】実施例１の線香ケースの一部縦断正面図
【図２】実施例１の線香ケースの案内突起の拡大図
【図３】実施例１の線香ケースの一部縦断面平面図
【図４】実施例１の線香ケースの断面図のある右側面図
【図５】実施例１の線香ケースの左側面図
【図６】実施例１の線香ケースの線香を取出した図のある全体の斜視図
【図７】実施例２の線香ケースの一部縦断正面図
【図８】実施例２の線香ケースの一部縦断平面図
【図９】実施例２の線香ケースの断面図のある右側面図
【図１０】実施例１の線香用ケースの一部縦断正面図
【図１１】実施例１の線香用ケースの一部縦断平面図
【図１２】実施例１の線香用ケースの一部縦断右側面図
【図１３】実施例１の線香用ケースの底面図
【図１４】実施例２の線香用ケースの一部縦断正面図
【図１５】実施例２の線香用ケースの蓋を取り除いた平面図
【図１６】実施例２の線香用ケースの縦断右側面図
【図１７】実施例２のスタンドを増設途中の図のある線香用ケースの縦断右側面図
【図１８】実施例２のスタンドの増設した図のある線香用ケースの縦断右側面図
【符号の説明】
【００１２】
１  本体
２  蓋
３  仕切
４  線香
５  連結部
６  案内突起
７  本体
８  仕切
９  本体
９ａ  側板ガイド
１０  蓋
１１  火の消えた線香
１２  スタンド
１２ａ  側板
１２ｂ  挟持バー
１２ｃ  挟持バー
１２ｄ  挟持バー
１３  本体
１３ａ  側板ガイド
１３ｂ  側板ガイド
１４  蓋
【図１】
0003142663.tif 000003
【図２】
0003142663.tif 000004
【図３】
0003142663.tif 000005
【図４】
0003142663.tif 000006
【図５】
0003142663.tif 000007
【図６】
0003142663.tif 000008
【図７】
0003142663.tif 000009
【図８】
0003142663.tif 000010
【図９】
0003142663.tif 000011
【図１０】
0003142663.tif 000012
【図１１】
0003142663.tif 000013
【図１２】
0003142663.tif 000014
【図１３】
0003142663.tif 000015
【図１４】
0003142663.tif 000016
【図１５】
0003142663.tif 000017
【図１６】
0003142663.tif 000018
【図１７】
0003142663.tif 000019
【図１８】
0003142663.tif 000020